(57)【特許請求の範囲】
【請求項１】
孔を設けたプレート状部材と、
長手方向の途中位置で前記孔に対応して嵌め合わされる嵌合部を有する棒状部材と、
該棒状部材の長手方向に対して直交に貫通する貫通部材と、を有し、
前記嵌合部によって前記孔に差し込まれた前記棒状部材の差し込み方向の移動を規制し、前記孔の近傍の前記棒状部材に前記貫通部材が貫通することによって前記棒状部材の差し込み方向に対して反対側への移動を規制し、
前記プレート状部材、前記棒状部材および前記貫通部材は、繊維の積層体を含むセラミックス複合材料から形成され、
前記プレート状部材は、前記繊維の積層面が厚さ方向と直角であり、
前記棒状部材は、前記繊維の積層面が長手方向と平行であり、
前記貫通部材は、前記繊維の積層面が長手方向と平行である分割体。
【請求項２】
前記孔は、テーパー形状を有し、
前記嵌合部は、前記孔に対応するテーパー形状であり、
前記棒状部材の先細り端側を前記孔に差し込み、前記嵌合部と前記孔のテーパー形状とによって前記棒状部材の先細り端側への移動を規制し、該棒状部材の先細り端側に前記貫通部材が貫通することによって前記棒状部材の末広がり端側への移動を規制する請求項１に記載の分割体。
【請求項３】
前記孔は、前記プレート状部材の長手方向に対して斜めの角度を有して設けられる請求項１または請求項２に記載の分割体。
【請求項４】
各前記部材を組み立て後に前記孔と前記棒状部材との隙間、および、該棒状部材と該棒状部材を貫通する前記貫通部材との隙間に充填剤を充填して熱処理が行われる請求項１から請求項３のいずれかに記載の分割体。
【請求項５】
前記プレート状部材、前記棒状部材および前記貫通部材を用いることによって、板状、棒状、円柱状の単純形状を組み合わせて製造される請求項１から請求項４のいずれかに記載の分割体。
【請求項６】
請求項１から請求項５のいずれかに記載の分割体を用いて環状に成型されるタービン分割環。
【請求項７】
気体が導かれるタービン翼と、
該タービン翼を内含する環状のタービンケーシングと、
前記タービン翼と前記タービンケーシングとの間に設けられる請求項６に記載のタービン分割環と、を備え、前記棒状部材の先細り端が前記タービンケーシングに接続されるガスタービン。
【発明の詳細な説明】
【技術分野】
【０００１】
本発明は、分割体、これを用いたタービン分割環およびこれを備えたガスタービンに関し、特に、分割体の構造に関するものである。
【背景技術】
【０００２】
一般に、ガスタービンの入口温度を高温化させてガスタービンの効率化を図り、発電効率を向上させた発電システムが用いられている。ガスタービンの入口温度の高温化に伴い、動翼の周囲に設けられて高温の燃焼ガスに晒されるガスタービンのタービン分割環等には、金属材料よりも耐熱性の優れた繊維強化型セラミックス複合材料（CMC : Ceramics Matrix Composite）を用いる研究開発が進められている。
【０００３】
ガスタービンのタービン分割環は、円周方向に複数の分割体に分割されており、各分割体は、ガスタービンケーシングに支持されている。各分割体は、各分割体本体からガスタービンケーシング側に突出しているフック部によってガスタービンケーシングに支持されている（例えば、特許文献１から特許文献４）。
【先行技術文献】
【特許文献】
【０００４】
【特許文献１】特開２００４−３６４４３号公報
【特許文献２】特許第４３８３０６０号公報
【特許文献３】特開２００６−１０５１２９号公報
【特許文献４】特許第２５７９８５４号公報
【発明の概要】
【発明が解決しようとする課題】
【０００５】
しかしながら、特許文献１から特許文献３に記載の発明は、セラミックス複合材料の織物繊維を所定の形状に加工してマトリックスを形成して分割体を製造しているが、フック部を形成するために機械加工を行う必要がある。そのため、機械加工のコストと、高価なセラミックス複合材料の一部を加工により破棄することになるため材料コストが大きくなり、分割体の製造コストが高価になるという問題があった。
【０００６】
近年、セラミックス繊維を織物にして、その繊維積層体を高温下でホットプレスしてセラミック複合材料を合成する手法が提案されている（特許文献４）。このような手法で合成されたセラミックス複合材料から所定の形状の分割体を製造する場合、硬くて厚い板状セラミックスから部材を切り出すため、特にコストがかかるという問題点があった。さらに、ホットプレスでセラミックス複合材料を合成した場合、繊維積層体の層間強度が小さいため、層間に引張応力がかかるような構造をとれず、複雑形状品への適用は難しいという問題があった。
【０００７】
また、フック部を形成するために機械加工を行った場合には、セラミックス複合材料の繊維方向が断ち切られるため、分割体の機械的特性が低下するという問題があった。
【０００８】
本発明は、このような事情に鑑みてなされたものであって、セラミックス複合材料を用いて、製造コストを低減することが可能、かつ、機械的特性に優れた分割体、これを用いたタービン分割環およびこれを備えたガスタービンを提供することを目的とする。
【課題を解決するための手段】
【０００９】
上記課題を解決するために、本発明の分割体、これを用いたタービン分割環およびこれを備えたガスタービンは、以下の手段を採用する。
すなわち、本発明に係る分割体によれば、孔を設けたプレート状部材と、長手方向の途中位置で前記孔に対応して嵌め合わされる嵌合部を有する棒状部材と、該棒状部材の長手方向に対して直交に貫通する貫通部材と、を有し、前記嵌合部によって前記孔に差し込まれた前記棒状部材の差し込み方向の移動を規制し、前記孔の近傍の前記棒状部材に前記貫通部材が貫通することによって前記棒状部材の差し込み方向に対して反対側への移動を規制することを特徴とする。
【００１０】
プレート状部材の孔に棒状部材を差し込み、棒状部材の嵌合部と、プレート状部材の孔とを嵌め合わせて、嵌合部によって孔に差し込まれた棒状部材の差し込み方向の移動を規制し、孔の近傍の棒状部材に貫通部材が貫通することによって棒状部材の差し込み方向に対して反対側への移動を規制した分割体とすることとした。これにより、単純形状の部材を用いて分割体を構成する各部材の素材費および加工費を低減することができる。したがって、分割体の製造コストの削減を図ることができる。
【００１１】
さらに、本発明に係る分割体によれば、前記孔は、テーパー形状を有し、前記嵌合部は、前記孔に対応するテーパー形状であり、前記棒状部材の先細り端側を前記孔に差し込み、前記嵌合部と前記孔のテーパー形状とによって前記棒状部材の先細り端側への移動を規制し、該棒状部材の先細り端側に前記貫通部材が貫通することによって前記棒状部材の末広がり端側への移動を規制することを特徴とする。
【００１２】
プレート状部材の孔をテーパー形状とし、その孔に対応して嵌め合わされる棒状部材の嵌合部をテーパー形状として、棒状部材の先細り端を孔に挿入することとした。そのため、棒状部材がプレート状部材の孔をテーパー形状の先細り端側に移動することを規制することができる。また、貫通部材を棒状部材の先細り端側に貫通させることとした。そのため、棒状部材がテーパー形状の末広がり端側へと移動することを規制することができる。したがって、孔に差し込まれた棒状部材をプレート状部材に固定することができる。
【００１３】
さらに、本発明に係る分割体によれば、前記孔は、前記プレート状部材の長手方向に対して斜めの角度を有して設けられることを特徴とする。
【００１４】
プレート状部材の長手方向に対して斜めの角度を成すように孔を設けることとした。そのため、棒状部材がプレート状部材の孔を棒状部材の先細り端側に移動することを規制することができる。したがって、孔に差し込まれた棒状部材をプレート状部材に固定することができる。
【００１５】
さらに、本発明に係る分割体によれば、前記プレート状部材および前記棒状部材および前記貫通部材は、繊維の積層体を含むセラミックス複合材料を用いて製造され、前記プレート状部材は、前記繊維の積層面が厚さ方向と直角であり、前記棒状部材は、前記繊維の積層面が長手方向と平行であり、前記貫通部材は、前記繊維の積層面が長手方向と平行であることを特徴とする。
【００１６】
ホットプレスにより合成されたセラミックス複合材料を用いて分割体を製造する場合には、加工が困難となる。また、分割体を成型するために機械加工が行われた場合には、セラミックス複合材料の繊維が切断されるために分割体の強度が低下する。
【００１７】
そこで、セラミックス複合材料を用いてプレート状部材および棒状部材を各々製造して組み立てることとした。これにより、機械加工を最小限とし、単純な形状の各部材のみを用いて分割体を製造することができる。したがって、機械的特性の高い分割体を低コストで製造することができる。特に、ホットプレスにより合成されたセラミックス複合材料を用いる場合には、引張応力の向きと繊維の積層面を平行に近くなるように制御した部材を作製することができるため、層間剥離が抑制されて機械的特性が向上する。
【００１８】
さらに、本発明に係る分割体によれば。前記貫通部材は、セラミックス複合材料を用いて製造されることを特徴とする。
【００１９】
ホットプレスにより合成されたセラミックス複合材料を用いる場合には、繊維の積層面が長手方向と平行になるように部材を作製すれば、層間剥離が抑制され、強度的には問題ない。
【００２０】
さらに、本発明に係る分割体によれば、各前記部材を組み立て後に前記孔と前記棒状部材との隙間、および、該棒状部材と該棒状部材を貫通する前記貫通部材との隙間に充填剤を充填して熱処理が行われることを特徴とする。
【００２１】
分割体の各部材を組み立て後に充填剤を孔と棒状部材との隙間、および、棒状部材と棒状部材を貫通した貫通部材との隙間に充填して熱処理することとした。そのため、孔と棒状部材との隙間、および、棒状部材と棒状部材を貫通した貫通部材との隙間を埋めることができる。したがって、組立による隙間のない分割体にすることができる。
【００２２】
さらに、本発明に係る分割体によれば、前記プレート状部材、前記棒状部材および前記貫通部材を用いることによって、板状、棒状、円柱状などの単純形状を組み合わせて製造されることを特徴とする。
【００２３】
単純形状である板状、棒状、円柱状などの部材を組み合わせて分割体を構成することとした。そのため、各部材の素材費および加工費を低減することができる。したがって、分割体の製造コストの削減を図ることができる。
【００２４】
さらに、本発明に係るタービン分割環によれば、上記のいずれかの記載の分割体を用いて環状に成型されることを特徴とする。
【００２５】
機械的特性を損なわず、かつ、製造コストの削減が可能な分割体を用いてタービン分割環を製造することとした。そのため、タービン分割環の健全性の向上と、製造コストの低減とを図ることができる。
【００２６】
さらに、本発明に係るガスタービンによれば、気体が導かれるタービン翼と、該タービン翼を内含する環状のタービンケーシングと、前記タービン翼と前記タービンケーシングとの間に設けられる上記に記載のタービン分割環と、を備え、前記棒状部材の先細り端が前記タービンケーシングに接続されることを特徴とする。
【００２７】
ガスタービンには、機械的特性を損なわず、かつ、製造コストの削減が可能とされたタービン分割環を設けることとした。これにより、高温の気体をタービン翼に導いた場合であっても、ガスタービンの健全性を安価に向上させることができる。
また、熱処理した分割体によって製造されるタービン分割環を用いた場合には、タービン翼側からタービンケーシング側へと気体が漏れることを防止することができる。したがって、タービン効率を改善することができる。
【発明の効果】
【００２８】
プレート状部材の孔に棒状部材を差し込み、棒状部材の嵌合部と、プレート状部材の孔とを嵌め合わせて、嵌合部によって孔に差し込まれた棒状部材の差し込み方向の移動を規制し、孔の近傍の棒状部材に貫通部材が貫通することによって棒状部材の差し込み方向に対して反対側への移動を規制した分割体とすることとした。これにより、単純形状の部材を用いて分割体を構成でき、素材費および加工費を低減することができる。したがって、分割体の製造コストの削減を図ることができる。
【図面の簡単な説明】
【００２９】
【図１】本発明の一実施形態に係るタービン分割環を構成している分割体の組立図であり、（Ａ）は、その組立前の状態であり、（Ｂ）は、その組立後の状態である。
【図２】本発明のタービン分割環を構成している分割体の変形例であり、（Ａ）は、その組立前の状態であり、（Ｂ）は、その組立後の状態である。
【発明を実施するための形態】
【００３０】
図１には、本発明の一実施形態に係るタービン分割環を構成している分割体の組立図を示し、（Ａ）は、組立前の状態が示され、（Ｂ）は、組立後の状態が示されている。
発電プラントに設けられているガスタービン（図示せず）は、高温の燃焼ガス（気体）が導かれる動翼（図示せず）と、動翼（タービン翼）の外周側に設けられているタービン分割環（図示せず）と、動翼とタービン分割環を内包している筒状のタービンケーシング（図示せず）とを有している。タービン分割環は、円周方向に複数の分割体１に分割されている。
【００３１】
各分割体１は、後述する棒状部材３によってタービンケーシングに接続されている。分割体１は、プレート状部材２と、棒状部材３と、貫通部材４とを有している。
プレート状部材２は、外周方向に向かって緩やかな凸部をなす長方形状である。プレート状部材２は、耐熱性の優れたセラミックス複合材料（CMC : Ceramics Matrix Composite）によって形成されている。ホットプレスにより合成されたセラミックス複合材料を用いる場合には、繊維の積層面がプレート状部材２の厚さ方向とほぼ直角となっている。
【００３２】
プレート状部材２には、複数の棒状部材用孔５（図１（Ａ）では、４ヶ所）が設けられている。各棒状部材用（孔）５は、プレート状部材２の長手方向に対して斜めの角度を形成するように設けられている。各棒状部材用５は、その形状が図１においてプレート状部材２の下面方向（タービン分割環の内周方向）から上面方向（タービン分割環の外周方向）に向かって先細りとなるテーパー形状とされている。各棒状部材用５は、プレート状部材２の長手方向に平行な断面形状が平行四辺形状となるように形成されている。
【００３３】
４つの棒状部材用孔５ａ、５ｂ、５ｃ、５ｄは、プレート状部材２の長手方向に２つの棒状部材用孔５ａ、５ｂが設けられ、それらに平行して他の２つの棒状部材用孔５ｃ、５ｄが設けられている。プレート状部材２の長手方向の同軸上に設けられている２つの棒状部材用孔５ａ、５ｂのプレート状部材２の下面に開口している２つの開口孔と、プレート状部材２の上面に開口している２つの開口孔とは、下面に開口している２つの開口孔間の距離が上面に開口している２つの開口孔間の距離よりも短くなるように設けられている。
【００３４】
棒状部材３は、４本（図１（Ａ）では、１本のみを示す）設けられている。棒状部材３は、先端部に向かって先細りとなるテーパー形状を成す角材である。棒状部材３は、その長手方向に垂直な面が平行四辺形状となるように形成されている。棒状部材３は、その長手方向の途中位置においてプレート状部材２に設けられている棒状部材用孔５に対応して嵌め合うことが可能とされている嵌合部（図示せず）を有している。
【００３５】
嵌合部は、棒状部材用孔５の長手方向に垂直な面における平行四辺形状の長辺と、プレート状部材２の長手方向に平行な面における平行四辺形状の長辺とが対応し、棒状部材用孔５の長手方向に垂直な面における平行四辺形状の短辺と、プレート状部材２の長手方向に平行な面における平行四辺形状の短辺とが対応して嵌め合うものとされている。これにより、棒状部材用孔５に差し込まれた棒状部材３は、プレート状部材２の下面から上面方向（棒状部材３の先細り端側）への移動が規制されることとなる。
【００３６】
棒状部材３は、耐熱性の優れたセラミックス複合材料（CMC : Ceramics Matrix Composite）によって形成されている。棒状部材３にホットプレスにより合成されたセラミックス複合材料を用いる場合には、繊維の積層面が棒状部材３の長手方向と平行となるように形成されている。
【００３７】
棒状部材３には、その長手方向の途中位置に、その長手方向に直行している貫通部材用孔６が貫通している。貫通部材用孔６は、棒状部材用孔５内に固定されている棒状部材３のプレート状部材２の上面側に設けられている。これにより、棒状部材用孔５に差し込まれた棒状部材３は、プレート状部材２の上面から下面方向（棒状部材３の末広がり端側）への移動が規制されている。
【００３８】
貫通部材４は、短い棒状の部材である。貫通部材４は、その長手方向に対して垂直な断面形状が円形状とされている。貫通部材４の直径は、貫通部材用孔６の内径と略同等とされている。貫通部材４は、耐熱性の優れたセラミックス複合材料（CMC : Ceramics Matrix Composite）によって形成されている。貫通部材４にホットプレスにより合成されたセラミックス複合材料を用いる場合には、繊維の積層面が貫通部材４の長手方向と平行となるように形成されている。
【００３９】
次に、分割体１の組立手順について説明する。
プレート状部材２に設けられている棒状部材用孔５に棒状部材３を挿入する。棒状部材３は、その先細り端側がプレート状部材２の下面から上面に向かって斜めに棒状部材用孔５を貫通する。
【００４０】
棒状部材用孔５を貫通した棒状部材３は、その長手方向の途中位置に設けられている嵌合部と棒状部材用孔５とが嵌め合う。これにより、棒状部材用孔５に差し込まれた棒状部材３が差し込み方向である棒状部材３の先細り端側へと移動することが規制されることとなる。
【００４１】
嵌合部と棒状部材用孔５とによって差し込み方向への移動が規制されている棒状部材３には、その貫通部材用孔６に貫通部材４が挿入される。これにより、棒状部材３が差し込み方向に対して反対側である棒状部材３の末広がり端へと移動することが規制されることとなる。また、このように棒状部材３と、貫通部材６とを組み合わせることにより、棒状部材３と、貫通部材６との繊維方向を変えることができる。このように、分割体１は、板状、棒状、円柱状などの単純形状のみを組み合わせて製造することができるようになっている。
【００４２】
組み立てられた分割体１の棒状部材３の嵌合部と棒状部材用孔５との間の隙間、および、貫通部材４と貫通部材用孔６との間の隙間にSiO2系化合物の充填剤が充填される。各隙間に充填剤が充填された分割体１は、その後、熱処理が行われる。各隙間に充填剤を充填して熱処理を施工することによって、分割体１の棒状部材用孔５と棒状部材３との間の隙間、および、貫通部材用孔６と貫通部材４との間の隙間を埋めることができる。
【００４３】
次に、熱処理後の分割体１を用いたタービン分割環の組立手順について説明する。
分割体１に設けられている４本の棒状部材３の先細り端を各々タービンケーシングに接続する。このようにして、複数の分割体１の棒状部材３をタービンケーシングに接続して、タービンケーシングとタービン翼との間に筒状のタービン分割環を形成する。
【００４４】
以上の通り、分割体、これを用いたタービン分割環およびこれを備えたガスタービンによれば、以下の作用効果を奏する。
プレート状部材２の棒状部材用孔（孔）５に棒状部材３を差し込み、棒状部材３の嵌合部と、プレート状部材２の棒状部材用孔５とを嵌め合わせて、嵌合部によって棒状部材用孔５に差し込まれている棒状部材３の差し込み方向の移動を規制し、棒状部材用孔５の近傍の棒状部材３を貫通部材４が貫通することによって棒状部材３の差し込み方向に対して反対側への移動を規制する分割体１とすることとした。これにより、単純形状の部材を用いて分割体１を構成する各部材２、３、４の素材費および加工費を低減することができる。したがって、分割体１の製造コストの削減を図ることができる。
【００４５】
プレート状部材２の棒状部材用孔５をテーパー形状とし、その棒状部材用孔５に対応して嵌め合わされる棒状部材３の嵌合部をテーパー形状として、棒状部材３の先細り端を棒状部材用孔５に挿入することとした。そのため、棒状部材３がプレート状部材２の棒状部材用孔５をテーパー形状の先細り端側に移動することを規制することができる。また、貫通部材６を棒状部材３の先細り端側に貫通させることとした。そのため、棒状部材３がテーパー形状の末広がり端へと移動することを規制することができる。したがって、棒状部材用孔５に差し込まれている棒状部材３をプレート状部材２に固定することができる。
【００４６】
プレート状部材２の長手方向に対して斜めの角度を成すように棒状部材用孔５を設けることとした。そのため、棒状部材３がプレート状部材２の棒状部材用孔５を棒状部材３の先細り端側に移動することを規制することができる。したがって、棒状部材用孔５に差し込まれている棒状部材３をプレート状部材２に固定することができる。
【００４７】
セラミックス複合材料を用いてプレート状部材２、棒状部材３および貫通部材４を各々製造して組み立てることとした。これにより、機械加工を最小限とし、単純な形状の各部材２、３、４を用いて分割体１を製造することができる。したがって、機械的特性の高い分割体１を低コストで製造することができる。
特に、ホットプレスにより合成されたセラミックス複合材料を用いる場合には、引張応力の向きと繊維の積層面を平行に近くなるように制御した部材２、３、４を作製することができるため、層間剥離が抑制されて機械的特性が向上する。
【００４８】
貫通部材４をセラミックス複合材料によって製造することとした。これにより、貫通部材４の繊維方向をその長手方向に一様にして、分割体１を一体加工して、棒状部材３から貫通部材４を切り出した場合に比べて貫通部材４の強度を増加させることができる。そのため、貫通部材４を棒状部材３に貫通させた場合における貫通部材４の折損を防止することができる。したがって、分割体１の強度を増加させることができる。
ホットプレスにより合成されたセラミックス複合材料を用いる場合には、繊維の積層面が長手方向と平行になるように部材２、３、４を作製すれば、層間剥離が抑制され、強度的には問題ない。
【００４９】
分割体１の各部材２、３、４を組み立て後に充填剤を棒状部材用孔５と棒状部材３との隙間、および、棒状部材３に設けられている貫通部材用孔６と棒状部材３を貫通している貫通部材４との隙間に充填して分割体１を熱処理することとした。そのため、棒状部材用孔５と棒状部材３との間の隙間、および、貫通部材用孔６と貫通部材４との間の隙間を埋めることができる。したがって、組立による隙間のない分割体１にすることができる。
【００５０】
単純形状である板状、棒状、円柱状などの部材２、３、４を組み合わせて分割体１を構成することとした。そのため、各部材２、３、４の素材費および加工費を低減することができる。したがって、分割体１の製造コストの削減を図ることができる。
【００５１】
機械的特性を損なわず、かつ、製造コストの削減が可能な分割体１を用いてタービン分割環を製造することとした。そのため、タービン分割環の健全性の向上と、製造コストの低減とを図ることができる。
【００５２】
ガスタービンには、機械的特性を損なわず、かつ、製造コストの削減が可能とされたタービン分割環を設けることとした。これにより、高温の燃焼ガス（気体）を（動翼タービン翼）に導いた場合であっても、ガスタービンの健全性を安価に向上させることができる。
【００５３】
また、熱処理した分割体１によって製造されたタービン分割環を用いることとした。そのため、タービン翼側からタービンケーシング側へと燃焼ガスが漏れることを防止することができる。したがって、タービン効率を改善することができる。
【００５４】
なお、本実施形態では、発電プラントに用いられるガスタービンのタービン分割環を構成する分割体１として説明したが、本発明はこれに限定されるものではなく、燃焼器の内張りや内筒などにも用いても良い。
【００５５】
また、棒状部材３は、その先細り端がタービンケーシングに接続されるとして説明したが、全長が短いものであって先端がタービンケーシングに達しない棒状部材３を複数プレート状部材２に追設しても良い。この場合には、全長が短い棒状部材３がプレート状部材２の上面側に突出しているので、タービン分割環とタービン翼との間に導かれた冷却媒体の流れを攪拌することができる。したがって、伝熱促進によって冷却効率が増加する。
【００５６】
また、本実施形態では、棒状部材３を４本として説明したが、本発明はこれに限定されるものではなく、例えば図２に示すように２本にしても良い。
【００５７】
図２には、本発明の変形例に係るタービン分割環を構成する分割体の組立図を示し、（Ａ）は、組立前の状態が示され、（Ｂ）は、組立後の状態が示されている。
棒状部材７は、２本（図２（Ａ）では、１本のみを示す）設けられている。棒状部材７は、先端部に向かって先細りとなるテーパー形状を成す角材である。棒状部材７は、その長手方向に垂直な面が平行四辺形状となるように形成されている。棒状部材７は、その長手方向の途中位置においてプレート状部材２に設けられている棒状部材用孔（孔）８に対応して嵌め合うことが可能とされている嵌合部（図示せず）を有している。
【００５８】
プレート状部材２には、２つの棒状部材用孔８が設けられている。各棒状部材用孔８は、プレート状部材２の長手方向に対して斜めの角度を形成するように設けられている。各棒状部材用孔８は、その形状がプレート状部材２の下面方向から外面方向に向かって先細りとなるテーパー形状とされている。各棒状部材用孔８は、プレート状部材２の長手方向に平行な面における形状が平行四辺形状となるように形成されている。
【符号の説明】
【００５９】
１  分割体
２  プレート状部材
３  棒状部材
４  貫通部材
５  棒状部材用孔（孔）
【図１】
0005517742.tif 000002
【図２】
0005517742.tif 000003